(57)【要約】      （修正有）【課題】電気装置に対する電力供給を制御するための電力制御システムの提供。【解決手段】無停電電源（ＵＰＳ）ユニット１２０が、ホスト電気装置１６０の内部回路基板１４０上に搭載されて、ホスト電気装置１６０およびそれに対して電気的に接続されるクライアント電気装置１８２に対する電力備蓄を設けるように構成される。この電力制御システムは、イーサネット（登録商標）を介した電力供給対応接続を有するイントラネットアクセススイッチに有効に組み込まれることができる。【選択図】図１
2012010478.tif 000002
【特許請求の範囲】
【請求項１】
電力供給を制御するための電力制御システムであって、前記電力制御システムがホスト電気装置の内部回路基板上に搭載される少なくとも一つの無停電電源（ＵＰＳ）ユニットを備え、かつ、前記ホスト電気装置および前記ＵＰＳユニットに電気的に接続される少なくとも一つのクライアント電気装置を備えた群のうちの少なくとも１つに対する電力備蓄を設けるように構成されるシステム。
【請求項２】
請求項１に記載の電力制御システムであって、前記ＵＰＳが、少なくとも一つの電力貯蔵ユニットおよび少なくとも一つの充電器ユニットを備える、ことを特徴とするシステム。
【請求項３】
請求項２に記載の電力制御システムであって、前記ＵＰＳが、少なくとも一つのインバータを更に備える、ことを特徴とするシステム。
【請求項４】
請求項２に記載の電力制御システムであって、前記電力貯蔵ユニットが、電気化学セル、コンデンサ、燃料電池およびフライホイールから成る群から選択される、ことを特徴とするシステム。
【請求項５】
請求項２に記載の電力制御システムであって、前記電力貯蔵ユニットが、交換可能である、ことを特徴とするシステム。
【請求項６】
請求項２に記載の電力制御システムであって、前記充電器ユニットが、少なくとも一つの整流器を備える、ことを特徴とするシステム。
【請求項７】
請求項１に記載の電力制御システムであって、前記ホスト電気装置が、外部電源から電力を引き出すように構成される、ことを特徴とするシステム。
【請求項８】
請求項１に記載の電力制御システムであって、前記回路基板が、プリント回路基板（ＰＣＢ）を備える、ことを特徴とするシステム。
【請求項９】
請求項１に記載の電力制御システムであって、前記クライアント電気装置が、コンピュータ、スキャナ、プリンタ、サーバ、ネットワークハブ、ＩＰ電話、ワイヤレスＬＡＮアクセスポイント、カメラ、イーサネットアクセススイッチ、シンクライアント、オーディオ出力デバイスおよび視覚的表示ユニット、から成る群のうちの少なくとも１つから選ばれる、ことを特徴とするシステム。
【請求項１０】
請求項１に記載の電力制御システムであって、前記ホスト電気装置が、中央処理ユニットを更に備える、ことを特徴とするシステム。
【請求項１１】
請求項１０に記載の電力制御システムであって、前記中央処理ユニットが、複数の前記クライアント電気装置に対する電力供給を管理するように構成される、ことを特徴とするシステム。
【請求項１２】
請求項１に記載の電力制御システムであって、前記ホスト電気装置が、少なくとも一つのイーサネットを介した電力供給（ＰｏＥ）コントローラおよび少なくとも一つのＰｏＥポートを更に備える、ことを特徴とするシステム。
【請求項１３】
複数の前記クライアント電気装置を備えたネットワークに対する電力供給を制御するように構成される請求項１２に記載の電力制御システムであって、前記複数のクライアント電気装置が、前記ＰｏＥポート経由で前記ホスト電気装置に接続される、ことを特徴とするシステム。
【請求項１４】
請求項１ないし１２のいずれか一つに記載の電力制御システムであって、前記システムが、前記装置の少なくとも一つの電源異常の際に、前記ホスト電気装置または前記クライアント電気装置の１つに電力を供給するように構成される、ことを特徴とするシステム。
【請求項１５】
ホスト電気装置を備えたネットワークに対する電力供給を制御するための方法であって、前記方法が、
前記ホスト電気装置の内部回路基板上に無停電電源（ＵＰＳ）ユニットを搭載するステップであって、前記ＵＰＳが少なくとも一つの電力貯蔵ユニットを備えるステップと、
前記ＵＰＳユニットを前記ホスト電気装置に電気的に接続するステップと、
中央処理ユニット（ＣＰＵ）を準備するステップであって、前記ＣＰＵが前記電力貯蔵ユニットからの前記ホスト電気装置への電力供給を管理するステップと、を含む方法。
【請求項１６】
請求項１５に記載の方法であって、前記ネットワークが前記ＵＰＳユニットに電気的に接続されるクライアント電気装置を更に備え、かつ
前記ＣＰＵが複数の前記クライアント電気装置に対する電力供給を管理する方法。
【発明の詳細な説明】
【技術分野】
【０００１】
本発明の実施態様は、電気装置に対する電力供給に関する。特に、実施態様は電気装置に組み込まれる無停電電源（ＵＰＳ）システムに関する。
【背景技術】
【０００２】
電気装置に対する電力は、一般にこの装置を電源に接続する電力線経由で供給される。多くの電気装置にとって、それらがそこから電力を引き出すことができるように、交流電流（ＡＣ）電気送電線アウトレットに対するプラグおよびソケット接続を準備するのが便利である。しかしながら、この種の電気装置はその時外部電源に依存し、したがって、それらの電源の中断に弱い。中断は、電源の全体の電力異常または電力変動、電力下落、電力スパイクなどのような他の電源異常から生じる場合がある。
【０００３】
この種の電源異常に対処するために、敏感な電気装置は無停電電源（ＵＰＳ）システムに接続されることができる。ＵＰＳシステムは、通常電源から電力を引き出して、そこへプラグを差し込まれる電気装置に電力を供給するためのバッファおよびバックアップとして役立つことができる。一般的に、ＵＰＳは外部電源によって充電され、かつ、外部電源が故障すると、被接続電気装置に電力を供給するように切替えられることができる電力貯蔵ユニットを有する。
【０００４】
その機能の性質によって、稼働中のＵＰＳ装置はユーザに気づかれずに動くはずであり、電気装置の途切れのない使用を可能にするはずである。したがって、ＵＰＳシステムが電気装置のユーザに有意な保護を提供することが可能であることができるにもかかわらず、あまりにしばしば、ユーザはＵＰＳを使用することに何の付加価値も認めず、手遅れになるまで、電源異常と関連する危険性を感知しない。
【０００５】
ＵＰＳの重要性が明らかでないので、多数の非熟練ユーザは、例えば経費を減少させるかまたは見苦しい後に続く電線の数を減少させるためといったさまざまな理由のためにＵＰＳを使用しないことを選ぶ。さらに、非専門家は一般的に、どの装置がＵＰＳに接続されなければならないか、および、どれが安全に電源に直接接続されることができるかが分からない。
【発明の概要】
【発明が解決しようとする課題】
【０００６】
したがって、非専門家によって容易に使われることができる便利な無停電電源に対する必要性がある。本願明細書に記載されている実施態様は、この必要性に対処する。
【課題を解決するための手段】
【０００７】
電力制御システムが、電力供給を制御するために本願明細書において開示される。この電力制御システムは、ホスト電気装置の内部回路基板上に搭載され、ホスト電気装置およびＵＰＳユニットに電気的に接続される少なくとも一つのクライアント電気装置を備えた群のうちの少なくとも１つに対する電力備蓄を設けるように構成される少なくとも一つの無停電電源（ＵＰＳ）ユニットを備える。
【０００８】
任意選択で、ＵＰＳは少なくとも一つの電力貯蔵ユニットおよび少なくとも一つの充電器ユニットを備えることができる。該当する場合、ＵＰＳは少なくとも一つのインバータを更に備えることができる。電力貯蔵ユニットは、電気化学バッテリ、コンデンサ、燃料電池およびフライホイールからなる群から選択されることができる。任意選択で、電力貯蔵ユニットは交換可能である。一般的に、充電器ユニットは少なくとも一つの整流器を備える。
【０００９】
ホスト電気装置は、外部電源から電力を引き出すように構成されることができる。任意選択で、回路基板はプリント回路基板（ＰＣＢ）を備えることができる。さまざまに、クライアント電気装置は以下から成る群のうちの少なくとも１つから選ばれることができる：コンピュータ、スキャナ、プリンタ、サーバ、ネットワークハブ、ＩＰ電話、ワイヤレスＬＡＮアクセスポイント、カメラ、イーサネットアクセススイッチ、シンクライアント、オーディオ出力デバイス、視覚的表示ユニットなど。
【００１０】
任意選択で、ホスト電気装置は中央処理ユニットを更に備えることができる。この種の中央処理ユニットは、複数のクライアント電気装置に対する電力供給を管理するように構成されることができる。場合によっては、ホスト電気装置は少なくとも一つのイーサネットを介した電力供給（ＰｏＥ）コントローラ、および、少なくとも一つのＰｏＥポートを更に備える。したがって、この電力制御システムは複数のクライアント電気装置を備えたネットワークへの電力供給を制御するように構成されることができ、複数のクライアント電気装置が、ＰｏＥポート経由でホスト電気装置に接続される。実用的に、システムは装置のうちの少なくとも１つの電源異常の際にホスト電気装置またはクライアント電気装置の１つに電力を供給するように構成されることができる。
【００１１】
さらに、一方法がホスト電気装置を備えたネットワークに対する電力供給を制御するために教示される。この方法は、ホスト電気装置の内部回路基板上に無停電電源（ＵＰＳ）ユニットを搭載するステップであって、このＵＰＳが少なくとも一つの電力貯蔵ユニットを備えるステップと、ＵＰＳユニットをホスト電気装置に電気的に接続するステップと、中央処理ユニット（ＣＰＵ）を設けるステップであって、このＣＰＵが電力貯蔵ユニットからのホスト電気装置への電力供給を管理するステップと、を含む。任意選択で、このネットワークがＵＰＳユニットに電気的に接続されるクライアント電気装置を備えることができ、およびこのＣＰＵが複数のクライアント電気装置に対する電力供給を管理することができる。
【図面の簡単な説明】
【００１２】
本発明のより良い理解のために、および、それがどのように実行に移されるかについて示すために、次に単に一例として添付の図面に対して参照がなされる。
【００１３】
ここで、詳細に図面に対する特定の参照によって、示される詳細が例として、かつ、本発明の選択された実施態様の例証となる議論のためにだけあり、および本発明の実施態様の原理および概念上の態様の最も役立って容易に理解される説明であると信じられることを提供するために提示されると強調される。この点に関しては、実施態様の基本理解のために必要であるより、より詳細に構造細部を示すようには何の試みもなされず、図面とともになされる記述は本発明のいくつかの形態が実際問題として具体化されることができる方法を当業者にとって明らかにする。添付の図面において：
【００１４】
【図１】装置搭載無停電電源（ＵＰＳ）を含む電力制御システムの一実施態様の主構成要素を示すブロック図である。
【図２】図１の電力制御システム内に使われることができるＵＰＳユニットの一実施態様を示すブロック図である。
【図３ａ】ＤＣ  ＵＰＳユニットが電気装置に組み込まれる電力制御システムの一実施態様のブロック図である。
【図３ｂ】ＤＣ  ＵＰＳユニットがイーサネットアクセススイッチと一体化される電力制御システムの例示的な一実施態様のブロック図である。
【図４ａ】イーサネットアクセススイッチと一体化される電力制御システムの別の実施態様の組立分解等角図である。
【図４ｂ】イーサネットアクセススイッチと一体化される電力制御システムの別の実施態様の組立分解等角図である。
【図５】図４ａおよび４ｂの電力制御システムに用いられるバッテリパックシャシの概略組立分解等角図である。および
【図６】装置搭載ＵＰＳシステムを使用した電力供給のための一方法の主ステップを示す流れ図である。
【発明を実施するための形態】
【００１５】
次に参照が、電力制御システム１００の第１の実施態様の主構成要素を示す図１になされる。電力制御システム１００は、ホスト電気装置１６０の内部回路基板１４０上に搭載される無停電電源（ＵＰＳ）ユニット１２０を含む。
【００１６】
ＵＰＳユニット１２０は、電源異常または電源の他の中断の場合にはホスト電気装置１６０に対する電力備蓄を設けるように構成される。任意選択で、それを経由して付加クライアント電気装置１８２が接続されることができるコネクタ１８０が設けられることができる。したがって、ＵＰＳユニットは更にそれに対して接続される外部クライアント装置１８２に対する電力備蓄を設けるように構成されることができる。
【００１７】
さまざまな実施態様によれば、種々の電気装置がコンピュータ、スキャナ、プリンタ、サーバ、ネットワークハブ／スイッチ、ＩＰ電話、ワイヤレスＬＡＮアクセスポイント、カメラ、イーサネットスイッチ、シンクライアント、オーディオ出力デバイス、視覚的表示ユニット等のようなＵＰＳユニット１２０のホストをつとめることができる。
【００１８】
例えば、ホスト１６０がコンピュータである所で、ＵＰＳはそのマザーボードまたは他の内部プリント回路基板ユニット上に搭載されることができる。外部クライアント装置１８２が、次いでユニバーサルシリアルバス（ＵＳＢ）電力ポート、イーサネットを介した電力供給（ＰｏＥ）ポートまたは他の電力コネクタ１８０経由で接続されることができる。
【００１９】
外部クライアント装置１８０の一つ以上が加えて、ホスト装置１６０とそれらの電力備蓄を相互に共有するように構成されることができるそれら自体のＵＰＳユニット（図示せず）を収容することができる点に更に注意される。
【００２０】
理解されるであろうことは、従来技術ＵＰＳシステムと対照的に、第１の実施態様の電力制御システム１００はホスト装置１６０に一体化されており、外部ＵＰＳ接続のための要件をそれによって不要にする。したがって、電源保護はユーザに必要な何の専門家知識も伴わずにホスト装置１６０に提供される。さらに、外部ＵＰＳユニットの欠如は電気装置を接続するのに必要な後に続く配線の数を減少させて、無停電ホスト装置のサイズ、重量およびコストを減少させるために役に立つことができる。
【００２１】
次に図２のブロック図を参照して、図１の電力制御システム１００に組み込むことができるＵＰＳユニット１２０の１つの可能な実施態様の主構成要素が示される。ＵＰＳユニット１２０は、電力インレット１２１、電力貯蔵ユニット１２４、スイッチ１２６および電力アウトレット１２９を含む。
【００２２】
何の電力中断もインレット１２１で検出されないとき、ＵＰＳは電力貯蔵ユニット１２４内に電力を貯蔵するように構成される。入力電力が決定された閾値より下に低下すると、スイッチ１２６は電力貯蔵ユニット１２４から電力アウトレット１２９まで電力を引き出すように構成される。ホスト装置はそれで、ＵＰＳ電力アウトレット１２９から電力を引き出すことができる。
【００２３】
任意選択で、ホスト装置が交流電力を必要とする所で、電力貯蔵ユニットの一般的にＤＣの出力がアウトレット１２９経由でホスト装置に供給される前にＡＣに変換されることができるように、インバータ１２８が設けられることができる。
【００２４】
さまざまな電力貯蔵ユニット１２４が、電気化学セル、コンデンサ、燃料電池などのような、さまざまな実施態様によって使われることができる。インレット１２１によって引き出される電力が交流であり、かつ電力貯蔵ユニット１２４が直流を必要とするところでは、充電ユニット１２２が整流器、電力レギュレータおよび電力貯蔵ユニット１２４を充電するのに必要な他の充電回路を含んで設けられることができる。
【００２５】
任意選択で、補助電力貯蔵ユニット１２４Ｘがより大きい電力容量を供給するために外部的に設けられることができる。補助電力貯蔵装置１２４Ｘは、ホスト装置１６０からアクセス可能な交換可能なパワーパックであってもよい。代わりとして、大きい電力ストレージが必要な所で、フライホイール、燃料電池等が大量の電力を貯蔵するのに用いられることができる。
【００２６】
スタンバイ電力供給（ＳＰＳ）タイプＵＰＳだけが上記に記載されているとはいえ、他のタイプのＵＰＳが、回線双方向、二重変換、オンライン、オフライン、ハイブリッド、鉄共振ＵＰＳシステム等のような要求に適しているとして好まれる。
【００２７】
上記した実施態様が電力中断の場合には内部的にＡＣまたはＤＣ電力のいずれかを供給することに適していてもよい点に注意されたい。他の実施態様が、電源異常、すなわち装置に対する入力電圧の全損失の場合にもっぱらホスト装置に電力を供給するように構成される。それにもかかわらず、他の実施態様が下記のようにＤＣ電源電力だけを供給することに適していてもよい。
【００２８】
参照が、次にＤＣ  ＵＰＳユニット１１２０が電気装置１１６０と共に一体化される電力制御システム１１００の一実施態様を示す図３ａのブロック図になされる。
【００２９】
ＡＣ主電源電圧を直流電圧に変換するように構成される直流電源装置１１１０が、オンボードＤＣ  ＵＰＳユニット１１２０経由で電気装置１１６０に接続されることが、電力制御システム１１００の実施態様のひとつの特定の特徴である。
【００３０】
ＤＣ  ＵＰＳユニット１１２０は、充電器／電力制御ユニット１１２２および電力貯蔵ユニット１１２４、例えばバッテリパックを含む。充電器／電力制御ユニット１１２２は、電源１１１０を監視し、かつ、電源の信頼性に依存して、電力貯蔵ユニット１１２４を選択的に充電するか、または、電力貯蔵ユニット１１２４から電力を引き出すように構成される。
【００３１】
交換可能なユニットであってもよい電力貯蔵ユニット１１２４は、一部の実施態様において入力電圧の全損失だけを含み、および、他の実施態様において電圧スパイクのような他のタイプの中断を含む、電源中断の場合に、電気装置１１６０に連続電力を供給するように構成される。
【００３２】
何の電力中断も電源１１１０で検出されないときに、電力コントローラ１１２２は電力貯蔵ユニット１１２４内に幹線ＡＣからの電力を貯蔵して、電気装置１１６０に電力を供給するように構成される。入力電力が決定された閾値より下に低下すると、電力コントローラ１１２２が起動されて、電力貯蔵ユニット１１２４を充電するのを止め、および、その代わりに電力貯蔵ユニット１１２４から電気装置１１６０まで電力を供給するようにすることができる。
【００３３】
電気化学セル、コンデンサ、燃料電池などのような、さまざまな電力貯蔵ユニット１１２４が種々の実施態様によって使われることができる。電力コントローラ１１２２が、電力貯蔵ユニット１１２４を充電するために整流器、電力レギュレータおよび他の充電回路を含むことができる。さらに、電力コントローラ１１２２は加えて、下で図３ｂに関してより詳細に説明するように、電気装置１１６０に対する電力供給を監視して管理するように構成されることができる。
【００３４】
任意選択で、補助電力貯蔵ユニット（図３ａ内に図示せず）がより大きい電力容量を供給するために外部的に設けられることができる。補助電力貯蔵ユニットは、ホスト装置１１６０からアクセス可能な交換可能なパワーパックであってもよい。代わりとして、大きな電力ストレージが必要な所で、フライホイール、燃料電池等が大量の電力を貯蔵するのに用いられることができる。
【００３５】
スタンバイ電力供給（ＳＰＳ）タイプＵＰＳだけが上記に記載されているが、他のタイプのＵＰＳが、回線双方向、二重変換、オンライン、オフライン、ハイブリッド、鉄共振ＵＰＳシステム等のような要求に適しているとして好まれる。
【００３６】
参照が、次に直流電源装置２１１０、オンボードＤＣ  ＵＰＳユニット２１２０およびイーサネットアクセススイッチユニット２１６０を含む電力制御システム２１００の例示的な一実施態様を示す図３ｂのブロック図になされる。
【００３７】
イーサネットアクセススイッチユニット２１６０は、ＰｏＥの有無にかかわらずネットワーク、ワークステーション、ＩＰ電話、無線アクセスポイントなどのセグメントを接続するためのスイッチングハブの一例である。この例のイーサネットアクセススイッチ２１６０は管理エージェント２１６２、コアスイッチ２１６４および８個のイーサネットポート２１６６  Ｐ１−８および少なくとも一つのアップリンクポートＳＦＰを含むアウトレットアレイ２１６６を含む。
【００３８】
管理エージェント２１６２は一般的に、マイクロプロセッサ、例えばフリースケールＭＣＰ８７５ユニットであり、ウェブ、テルネット、ＳＮＭＰ  Ｖ２、ＨＴＴＰＳ等のようなさまざまな通信プロトコルをサポートするように構成される。管理エージェント２１６２は、ＲＳＴＰ／ＳＴＰ、ＭＡＣセキュリティ、ＩＧＭＰ  スヌーピング、ポートミラーリング、アップロード／ダウンロード構成、８０２．１ｘ等のようなアクセススイッチ機能のセットアップ、構成およびモニタリングを提供することができる。
【００３９】
加えて、管理エージェント２１６２は更にイーサネットポートＰ１−８経由でアクセススイッチ２１６０に接続されるクライアント装置に対する電力供給を制御することができる。したがって、管理エージェントはＰｏＥコントローラ２１６８ａ、２１６８ｂと通信することができる。
【００４０】
マーヴェル８８Ｅ６０９５Ｆユニット等のような、コアスイッチ２１６４が管理エージェントをポートＰ１−８、ＳＦＰに選択的に接続するように構成され、それによってそれに対して接続される電気装置間のデータ通信を供給する。
【００４１】
直流電源装置２１１０（ＡＣ主電源電圧を直流電圧に変換することが可能）がオンボードＵＰＳユニット２１２０経由で管理エージェント２１６０に接続されるように構成されることが、電力制御システム２１００の例示的な実施態様のひとつの特定の特徴である。
【００４２】
例示的な実施態様２１００の電力貯蔵ユニット２１２４がプラグイン形再充電可能な４８Ｖ  １１００ｍＡ／ｈバッテリパック等を含み、少なくとも４５分ほどの間、以下に記載するＰｏＥ能力を含んで、イーサネットアクセススイッチ２１６０にフルパワーバックアップサポートを与えることができる点に注意される。
【００４３】
例示的な実施態様２１００のイーサネットポートＰ１−８が更に少なくとも一つのイーサネットを介した電力供給コントローラ２１６８ａ、２１６８ｂに接続されることができることが、更なるひとつの特徴である。イーサネットを介した電力供給は、イーサネットケーブル接続上のデータとともに、電力を伝えるためのシステムである。これは、イーサネットポートＰ１−８経由でイーサネットアクセススイッチユニット２１６０に接続される外部クライアント電気装置に電力を供給するのに用いられることができる。したがって、イーサネットポートＰ１−８は例えばフルクラス０／クラス３までの８０２．３ａｆ  ＰｏＥ／ＰＳＥサポートを備え、各被接続クライアント装置に最大１５．４ワットの電力を供給する、１０／１００ベース−Ｔ銅ポートであってもよい。代わりとして、必要に応じて、１５．４ワットの電力まで供給されることができるＩＥＥＥ  ８０２．３ａｆ  ＰｏＥ対応ポートが、好まれることができる。さらに他の電力供給規格を、実践者が思いつくことができる。
【００４４】
したがって、電力制御システムの例示的な実施態様２１００は電力供給を管理して、ＰｏＥポート２１６６経由で中央イーサネットアクセススイッチ２１６０に接続される複数の電気装置に対するＵＰＳサポートを提供することが可能である。この種の集中化したシステムが特に非専門家のユーザによる使用のためにより便利で直観的でもよいことが理解されよう。
【００４５】
さまざまな実施態様に従って、内部ＵＰＳシステムを有する複数の電気装置が単一のネットワークに相互接続され、それによって被接続装置が電力異常の場合にはネットワークに電力を相互に供給することができる高度な電力冗長性を提供する。アクセススイッチ２１６０に接続される電気装置間のイーサネットリンクのようなデータ接続がこの種のネットワークの全体にわたって電力制御を中央で管理するのに用いられることができる点に更に注意される。
【００４６】
次に図４ａおよび４ｂを参照して、概略組立分解等角図が、電力制御システムの一実施態様がイーサネットアクセススイッチ３１６０に組み込まれることができる方法をよりよく例示するために表示される。イーサネットアクセススイッチ３１６０は、ハウジングカバー３１６１ａ、ハウジング基部３１６１ｂ、前面パネル３１６３、スライド箔３１６５、内部シャシ３１６７、着脱可能なパワーパック３１６４、プリント回路基板３１４０およびアウトレットアレイ３１６６を含む。
【００４７】
図５を参照して、図４ａおよび４ｂの電力制御システムに用いられる着脱可能なパワーパックユニット３１６４の概略組立分解等角図が表示される。着脱可能なパワーパックユニット３１６４は、基部３６４４ａおよびカバー６４４ｂを有するケーシング３６４４内に収容される充電可能なバッテリ３６４２を含む。ハンドル６４６が、ケーシング基部３６４４ｂに設けられる。ケーシング３６４４は、バッテリ３６４２の保守および交換のためにハウジング基部３１６１ｂを摺動して出たり入ったりするように構成される。
【００４８】
次に図６の流れ図を参照して、装置搭載ＵＰＳシステムを使用した電気装置のネットワークに対する電力供給のための一方法の主ステップが示唆される。この方法は、次のステップ、すなわち、ホスト電気装置の内部回路基板上に搭載される無停電電源（ＵＰＳ）ユニットを準備するステップ６０１と、複数のクライアント電気装置をホスト電気装置に接続するステップ６０２と、電力貯蔵ユニットを準備するステップ６０３と、複数クライアント電気装置への、および、ホスト電気装置への、電力貯蔵ユニットからの電力供給を管理するように構成される中央処理ユニットを準備するステップ６０４と、を含む。
【００４９】
上記の例は、装置搭載無停電電源システム及び方法のさまざまな選択された実施態様を提示する。更なる実施態様が予期され、それがまた本発明の有効範囲内に納まることに留意されたい。本発明の有効範囲は、請求項によって規定され、上記のさまざまな特徴の組合せおよび副組合せ、同じく変形例およびその修正の双方を含み、それは、上記の記述を読み込むと即座に、当業者は思いつくであろう。
【００５０】
請求項において、語「備える（ｃｏｍｐｒｉｓｅ）」および「備える（ｃｏｍｐｒｉｓｅｓ）」、「備えた（ｃｏｍｐｒｉｓｉｎｇ）」などのようなその変形は、リストされた構成要素が含まれるが、しかし、一般に他の構成要素の除外を含まないことを示唆する。
【符号の説明】
【００５１】
１００  電力制御システム
１８０  コネクタ
１８２  クライアント電気装置
１１００  電力制御システム
１１２０  オンボードＤＣ  ＵＰＳユニット  電力コントローラ
１１２４  電力貯蔵ユニット
２１００  電力制御システム
２１２０  オンボードＤＣ  ＵＰＳユニット
２１６０  イーサネットアクセススイッチユニット
２１６６  アウトレットアレイ
２１６６  Ｐ１−８  イーサネットポート
ＳＦＰ  アップリンクポート
３１４０  プリント回路基板
３１６０  イーサネットアクセススイッチ
３１６１ａ  ケーシングカバー
３１６１ｂ  ハウジング基部
３１６３  前面パネル
３１６４  パワーパック
３１６５  スライド箔
３１６６  アウトレットアレイ
３１６７  内部シャシ
３６４２  バッテリ
３６４４  ケーシング
３６４４ａ  基部
６４４ｂ  カバー
６４６  ハンドル
【図１】
2012010478.tif 000003
【図２】
2012010478.tif 000004
【図３ａ】
2012010478.tif 000005
【図３ｂ】
2012010478.tif 000006
【図４ａ】
2012010478.tif 000007
【図４ｂ】
2012010478.tif 000008
【図５】
2012010478.tif 000009
【図６】
2012010478.tif 000010